(57)【特許請求の範囲】
【請求項１】
空間部に吊り張りするネット体又はシート体を連結具でスライド移動自在に取り付けるとともに、両端側を側壁等に取り付けられた連結固定具に連結するロープ本体から構成されたスライド移動用のロープ体であって、前記連結固定具が、前記ロープ本体の両端側にそれぞれ一体的に設けられ、且つ該連結固定具の少なくとも一方には、側壁等への取り付けを調整する調整手段が設けられ、しかも前記連結具のうち一方の端部の連結具には、ネット体又はシート体の一方の端部の固定位置を自在に調整することでロープ本体に沿っての前記ネット体又はシート体の一方の端部の移動を阻止する離れ止め体が設けられていることを特徴とするスライド移動用のロープ体。
【請求項２】
前記ロープ本体には、空間部の形状等によりロープ本体の中途部分を空間部の所望の壁面より吊張体を介して吊り張りする吊張連結具が移動自在に挿通されている請求項１に記載のスライド移動用のロープ体。
【請求項３】
空間部の左右方向、又は上下方向等の吊り張り方向に沿って連結固定具を介してロープ本体を架け渡した後、ネット体又はシート体を前記ロープ本体に連結具を介してスライド移動自在に吊り張りするスライド移動用のロープ体を用いたネット体又はシート体の吊り張り方法において、前記ロープ本体を吊り張り方向に沿って空間部に架け渡す際、前記ロープ本体に一体的に取り付けられた連結固定具を介して側壁等へ連結するとともに、ネット体又はシート体の荷重に応じて連結固定具に設けられた調整手段を用いて側壁等への取り付け位置の調整を行った後、前記連結具のうち一方の端部の連結具に設けられた離れ止め体の長さ調整を行うことで該端部の連結具のロープ本体に沿っての移動を阻止することを特徴とするスライド移動用のロープ体を用いたネット体又はシート体の吊り張り方法。
【発明の詳細な説明】
【技術分野】
【０００１】本願発明は、主に屋内の空間部の間仕切り用（又は防球用）として吊り張りするネット体、又は屋外空間の上部側の被覆用として使用するシート体を、移動自在に取り付けウインチを用いて前記ネット体又はシート体を開閉移動するスライド移動用のロープ体、及び該スライド移動用のロープ体を用いたネット体又はシート体の吊り張り方法に関する。
【背景技術】
【０００２】従来、ネット体を用いて屋内の空間部を間仕切りする場合、又はネット体を用いて屋内の空間部の外周側に防球用として吊り張りする場合に使用する移動式のネット体は下記のような構成を有する装置を用いて開閉移動している。【０００３】即ち、空間部に吊り張りするのに適切な形状を有するネット体と、該ネット体の上端側と連結する複数個の連結具と、該各連結具をスライド移動自在に取り付けるスライド移動用のロープ体とから構成されている。【０００４】前記ネット体は、空間部の大きさ、使用目的に応じて１枚のネット、又は複数枚で形成され、該ネット体に応じて空間部に架け渡すスライド移動用のロープ体の長さ及び本数が決定される。【０００５】次に、１枚のネット体を用いて空間部を間仕切りする場合は、前記空間部の所望の側壁間へ別体の連結固定具をそれぞれ固定し、該連結固定具に両端側をそれぞれ連結するとともに、ネット体の上端側を連結する連結具を移動自在に取り付けることで１本のスライド移動用のロープ体を架け渡した後、前記各連結具にネット体の上端側を連結することで、ネット体をスライド移動用のロープ体に取り付ける。【０００６】この際、ネット体の一方の端部を紐状体で連結固定具等に連結、又は一方の端部の連結具をロープ本体に固定することで、ネット体の一方側の移動を阻止する。【０００７】次に前記ネット体をスライド移動用のロープ体に沿って開閉移動する場合は、前記スライド移動用のロープ体の上下方向の何れかで、該スライド移動用のロープ体の近傍位置に並行し、ウインチ（電動用、又は手動用）を用いて移動するウインチ用のロープ体を架け渡した後、一端側を前記ウインチ用のロープ体に固定した牽引具の他端側を前記ネット体の上部先端側に直接又は間接的に連結する。【０００８】上記のようにウインチ用のロープ体を設置した後、ウインチを駆動してウインチ用のロープ体を移動することで該ウインチ用のロープ体に固定された牽引具を引っ張り移動しネット体をスライド移動用のロープ体に沿って所望の位置まで移動する。【０００９】これによりネット体を空間部に広げた状態で吊り張りし、適切に間仕切り等する。【００１０】また、ウインチを逆回転方向に駆動して移動用ロープを上記と逆方向に移動し、ネット体をスライド移動用のロープ体に沿って逆方向に移動することで、ネット体を側壁側に収納し、空間部を開放する。【００１１】このように、ネット体をスライド移動用のロープ体に沿って移動することで、空間部を間仕切り等することができる。【００１２】次に、２枚のネット体を用いて空間部を間仕切りする場合は、前記空間部の所望の間隔の側壁間にそれぞれ２個の連結固定具をそれぞれ近接する位置で固定し、該連結固定具に両端側にそれぞれ連結することで、２本のスライド移動用のロープ体を平行状態に架け渡した後、前記各スライド移動用のロープ体に複数個の連結具を移動自在に設け、該連結具でネット体の上端側をそれぞれ連結し、それぞれのスライド移動用のロープ体に２枚のネット体を別々に取り付ける。【００１３】この際も同様に、２枚のネット体の側壁側を連結固定具、又は直接ロープ本体に固定することで、端部側のネット体の移動を阻止する。【００１４】前記２枚のネット体を移動する場合は、上記１枚のネット体の場合と同様に側壁間にエンドレス状に吊り張りしたウインチ用のロープ体の移動方向が相違するロープ体の所望の位置と、各ネット体の上部先端側とをそれぞれ牽引具で直接又は間接的に連結する。【００１５】これにより、ウインチでウインチ用のロープ体を移動すると、各ネット体を各スライド移動用のロープ体に沿ってそれぞれ相違する方向（対向する側壁側より空間部の中央側）に移動して空間部に吊り張でき、空間部の適切な間仕切りを行う。【００１６】また、ウインチを逆回転方向に駆動してウインチ用のロープ体を前記と逆方向に移動することで、前記ネット体をそれぞれ相違する側壁側に収納移動して空間部を開放する。【００１７】上記スライド移動用のロープ体を架け渡す空間部間の距離が一定距離以上ある場合、又はネット体の荷重が大きい場合は、スライド移動用のロープ体の中途部分の１か所、又は所望の幅で複数か所に、天井側に設けた１本、又は複数本の吊り下げ用のロープ体をそれぞれ連結することで、スライド移動用のロープ体の架け渡した水平状態を維持している。【００１８】この際、前記吊り下げ用のロープ体の先端側には、スライド移動用のロープ体と連結する吊張連結具が固定されている。【００１９】次に、屋外の空間部の上方側をシート体で閉塞する場合は、空間部に取り付けられた空間用の枠体に連結固定具を固定し、該連結固定具にスライド移動用のロープ体を連結することで所望の間隔を開けて水平方向に２本架け渡し、該スライド移動用のロープ体に連結具を移動自在に設けた後、該連結具にシート体の左右方向をそれぞれ所望の間隔で連結することで、屋外の空間部にシート体を設ける。【００２０】この際も同様に、シート体の一端側を連結固定具、又はロープ本体に固定することで、一端側のロープ本体に沿っての移動を阻止する。【００２１】前記シート体を開閉移動する場合は、前記スライド移動用のロープ体間に並行状態にウインチで駆動するウインチ用のロープ体を吊り張りするとともに、前記シート体の先端側を前記ウインチ用のロープ体に牽引具を介して連結する。【００２２】この状態でウインチを駆動しウインチ用のロープ体を移動すると、前記シート体は牽引具を介してスライド移動用のロープ体に沿って水平方向に移動し、シート体で空間部を覆う。【００２３】また、ウインチを駆動してウインチ用のロープ体を前記と逆方向に移動することで、シート体をスライド移動用のロープ体に沿って逆方向に移動し空間部を開放することができる。
【発明が解決しようとする課題】
【００２４】しかしながら、上記従来のネット体又はシート体に用いるスライド移動用のロープ体は、ロープ体のみで構成されているために、空間部へ架け渡す場合は、それぞれ別体の連結固定具を用いて両側壁取り付けた後、該連結固定具にロープ本体の両端側をそれぞれ連結することで空間部に架け渡す作業を必要とし、特に現場でロープ体の長さの調整作業、連結固定具との連結作業、さらにロープ本体へのネット体の連結作業等、その連結工程が煩雑である欠点があった。
【００２５】また、従来はロープ本体を設置位置に架け渡した後のスライド移動用のロープ体の設置状態、ロープ体のテンション等の微調整ができなく、ネット体又はシート体の荷重による撓み等が発生し易く、その後の頻繁なメンテナンス作業を必要とするという欠点があった。
【００２６】さらに、前記スライド移動用のロープ体は上記撓み等の発生のために、吊り張りしたネット体又はシート体を直線状の吊り張りすることができず、該ネット体又はシート体の開閉移動がスムーズにできないという問題点があった。
【００２７】また、上記吊り張りしたネット体又はシート体の荷重により、ネット体又はシート体の連結具を介してのスライド移動用のロープ体への取り付け作業が煩雑になる欠点があった。
【００２８】さらに、スライド移動用のロープ体の中途部分を吊り張りする場合、別体の吊張具をスライド移動用のロープ体に固定し、天井側の吊り上げ用のロープ体を前記吊張具に連結することで中途部分を吊り上げしたが、その取り付け作業が煩雑であり、又高所作業であるために危険を伴う恐れがあった。
【００２９】さらに、ロープ本体に連結具を介して取り付けたネット体又はシート体の一方の端部を別体の固定具で固定しなければならずその作業が煩雑であった。
【００３０】そこで、本発明は空間部へのスライド移動用のロープ体の取り付けが容易であり、また容易に微調整が行え、且つネット体又はシート体をスムーズに移動できるスライド移動用のロープ体、及び該スライド移動用のロープ体を用いたネット体又はシート体の吊張方法を提供することを課題とする。
【課題を解決するための手段】
【００３１】本願発明の上記課題を解決する手段としてのスライド移動用のロープ体は、請求項１に記載のように、空間部に吊り張りするネット体又はシート体を連結具でスライド移動自在に取り付けるとともに、両端側を側壁等に取り付けられた連結固定具に連結するロープ本体から構成されたスライド移動用のロープ体であって、前記連結固定具が、前記ロープ本体の両端側にそれぞれ一体的に設けられ、且つ該連結固定具の少なくとも一方には、側壁等への取り付けを調整する調整手段が設けられ、しかも前記連結具のうち一方の端部の連結具には、ネット体又はシート体の一方の端部の固定位置を自在に調整することでロープ本体に沿っての前記ネット体又はシート体の一方の端部の移動を阻止する離れ止め体が設けられていることを特徴とする。
【００３２】また、上記課題を解決する手段としてのスライド移動用のロープ体は、請求項２に記載のように、前記ロープ本体には、空間部の形状等によりロープ本体の中途部分を空間部の所望の壁面より吊張体を介して吊り張りする吊張連結具が移動自在に挿通されていることを特徴とする。
【００３３】本願発明の上記課題を解決する手段としてのスライド移動用のロープ体を用いたネット又はシートの吊り張り方法は、請求項３に記載のように、空間部の左右方向、又は上下方向等の吊り張り方向に沿って連結固定具を介してロープ本体を架け渡した後、ネット体又はシート体を前記ロープ本体に連結具を介してスライド移動自在に吊り張りするスライド移動用のロープ体を用いたネット体又はシート体の吊り張り方法において、前記ロープ本体を吊り張り方向に沿って空間部に架け渡す際、前記ロープ本体に一体的に取り付けられた連結固定具を介して側壁等へ連結するとともに、ネット体又はシート体の荷重に応じて連結固定具に設けられた調整手段を用いて側壁等への取り付け位置の調整を行った後、前記連結具のうち一方の端部の連結具に設けられた離れ止め体の長さ調整を行うことで該端部の連結具のロープ本体に沿っての移動を阻止することを特徴とする。
【発明の作用効果】
【００３４】次に、本願発明のスライド移動用のロープ体、及び該スライド移動用のロープ体を用いたネット体又はシート体の吊り張り方法の作用効果を説明する。
【００３５】先ず、請求項１に記載のスライド移動用のロープ体は、設置する空間部の側壁間の距離に応じて、ロープ本体と該ロープ本体の両端側にそれぞれ一体的に連結された連結固定具とから予め構成されているために、現場で形成する従来のスライド移動用のロープ体に比し、その構成が十分に簡素化されている。
【００３６】また、スライド移動用のロープ体がロープ本体と該ロープ本体に一体的に設けられた連結固定具とから構成されているために、該連結固定具を側壁等へ直接固定することで、容易に移動用のロープ体を空間部に架け渡すことができる。
【００３７】この際、前記連結固定具には、側壁等への取り付け距離、又は取り付け角度を調整する調整手段が設けられているために、側壁等への取り付け位置、又は取り付け方向を自在に調整しながら固定（限定されることなく）でき、最適な状態で空間部にスライド移動用のロープ体を架け渡すことができる。
【００３８】次に、前記ロープ本体に予め移動自在に設けられた複数個の連結具を介して所望の幅でネット体又はシート体を連結することで、容易にロープ本体へのネット体又はシート体の取り付けができる。
【００３９】この際、一方の端部の連結具には、離れ止め体が設けられているために、ネット体又はシート体の一方の端部の固定位置を自在に調整し、一方の端部の移動が阻止された状態でロープ本体に沿って前記ネット体又はシート体を移動できる。
【００４０】しかも、ロープ本体は両側壁等へ付勢された状態で架け渡されているために、ネット体又はシート体の荷重に対しても一定の水平状態を維持でき、ネット体又はシート体をスムーズにロープ本体に沿って移動することができる。
【００４１】このように、本願発明の請求項１に記載のスライド移動用のロープ体は、連結固定具がロープ本体に対して一体的に設けられているために、側壁等へ容易に固定でき、且つロープ本体と連結固定具とで空間部の距離に対応するために、その距離の形成が予め設定でき、その取り扱いがスムーズに行える。
【００４２】また、連結固定具に設けられた調整手段で、固定する側壁等への取り付け位置、距離の調整ができ、さらにスライド移動用のロープ体の空間部への架け渡し容易にすることができる。
【００４３】さらに、ネット体又はシート体の一方の端部の固定位置を、端部の連結具に一体的に設けられた離れ止め体で自在に調整でき、一方の端部の移動を阻止した状態でロープ本体に沿ってのネット体又はシート体の移動ができる。
【００４４】このため、ロープ本体に連結具を介して取り付けたネット体又はシート体の荷重に対しても容易に対応でき、且つ安全に、適切に設置することができる。
【００４５】次に、本願発明の請求項２に記載のスライド移動用のロープ体は、前記請求項１に記載のスライド移動用のロープ体のロープ本体に天井側等に設けられたロープ体等の吊張体を連結する吊張連結具を予め移動自在に挿通した構成である。
【００４６】そのため、前記吊張連結具をロープ本体の所望の位置に移動し、天井側又は側壁に設けられたウインチを用いたロープ又は棒状体等の吊張体に連結することで、ロープ本体の中途部分を吊り上げ、又は支持し、ロープ本体を水平状態に維持することができる。
【００４７】この際、吊張連結具の数を複数個予めロープ本体に挿通しておくことで、ロープ本体を所望の幅で複数個所、吊り上げ、又は支持することができる。
【００４８】このため、空間部の形状に関係することなく、自在にスライド移動用のロープ体を架け渡すことができる。
【００４９】しかも、吊張連結具はロープ本体に固定、又は移動自在にする等、ロープ本体への取り付けを自在に選択できるので、ネット体の吊り張り状態に応じて適切に対応することができる。
【００５０】次に、本願発明の請求項３に記載のスライド移動用のロープ体を用いたネット体又はシート体の吊り張り方法は、ロープ本体の両端側にそれぞれ予め一体的に取り付けられた連結固定具を直接側壁等へ取り付けすることで、同時にスライド移動用のロープ体を空間部に自在に架け渡すことができる。
【００５１】このために、スライド移動用のロープ体の空間部への架け渡し工程が、従来のロープ体に比し容易に行える。
【００５２】また、前記連結固定具には調整手段が設けられているために、該調整手段を用いて側壁等への取り付け距離の調整、取り付け角度の調整が行うことができるので、その取り付け位置の選択が容易で自在に取り付けできる。
【００５３】次に、前記ロープ本体には、移動自在に複数個の連結具が設けられているために、該連結具を介して所望の幅でネット体又はシート体を連結することで、ロープ本体にネット体又はシート体を取り付けできる。
【００５４】この際、前記連結具のうち一方の端部の連結具には一体的に離れ止め体が設けられているために、端部の連結具への長さ調整を行うことで、ネット体又はシート体の一方の端部を所望位置に固定でき、ロープ本体に沿っての移動を阻止できる。
【００５５】しかも、ロープ本体は両側壁等へ付勢されているために、ネット体又はシート体の荷重にかかわらず、スムーズにロープ本体に沿って移動することができる。
【００５６】このため、ウインチを用いたウインチ用のロープ体を用いることで、ロープ本体に沿ってネット体又はシート体を開閉移動することができる。
【００５７】このように、本発明のスライド移動用のロープ体を用いたネット体又はシート体の吊り張り方法は、従来にない新たな設置工程であり、その作業工程が容易で、スムーズなネット体又はシート体の吊り張りを可能にした。
【００５８】また、上記作業工程の簡易化により、従来のような頻繁なメンテナンス作業を必要としない。
【発明を実施するための最良の形態】
【００５９】本願発明のスライド移動用のロープ体、及び該スライド移動用のロープ体を用いたネット体又はシート体の吊り張り方法について図面を用いて説明する。【００６０】図１は本願発明のスライド移動用のロープ体の一実施例を示す概略説明平面図であり、図２は図１のスライド移動用ロープ体の使用状態を示す概略説明平面図であり、図３はスライド移動用のロープ体の使用状態の他実施例を示す概略説明平面図であり、図４は本発明のスライド移動用のロープ体の他実施例を示す概略説明平面図であり、図５は連結固定具を示す概略説明平面図であり、図６、図７は本願発明のスライド移動用のロープ体を用いたネット体又はシート体の吊り張り状態を示す概略説明平面図であり、図８は本発明のスライド移動用のロープ体の他実施例を示す概略説明平面図であり、図９及び図１０は図８の吊張具の取り付け状態を示す概略説明平面図であり、図１１は離れ止め体の長さの調整方法を示す概略説明平面図であり、図１２は離れ止め体の他実施例を示す概略説明平面図であり、図１３は吊張具の取り付け状態の他実施例を示す概略説明平面図であり、図１４は吊張具の取り付け状態の他実施例を示す概略説明上面図であり、図１５は図８のスライド移動用のロープ体の使用状態を示す概略説明平面図であり、図１６は本願発明のスライド移動用のロープ体の他実施例を示す概略説明平面図であり、図１７は本願発明のスライド移動用のロープ体を用いたネット又はシートの吊り張り状態を示す概略説明平面図である。【００６１】また、図１８、図１９及び図２０はスライド移動用のロープ体を用いたネット又はシートの吊り張り方法を示すフローチャートである。
【実施例１】
【００６２】本願発明のスライド移動用のロープ体１は、空間部に吊り張りする長さと略同じ長さに形成された紐状のロープ本体２と、該ロープ本体２の両端側に一体的に設けられ空間部の側壁側に固定するための連結固定具３とから構成されている。【００６３】前記連結固定具３は、側壁等へ取り付け用のシャックル等の棒状部分と長さ調整部分とを有する連結金具で形成された取付部４と、該取付部４との取り付け調整、又は、及び取り付け角度調整を行うターンバックル等で形成された調整体５とから構成され、側壁等に架け渡した後、調整体５でロープ本体２を適切に空間部に水平に架け渡すことができる。【００６４】前記取付部４は側壁等へ連結できる構成であれば、その形状、構成は特に問うものでない。【００６５】また、前記調整体５の構成も前記ターンバックルに限定されるものでなく、取り付け角度を調整するための一定の間隔を有する棒状部分と、取り付け距離を調整するための螺子、又はバネ等の弾性体とから構成されていれば、その形状、構成は特に問うものでない。【００６６】前記一方の取付部４には、ロープ本体２を側壁側等へ付勢するバネ等で形成された弾性体４Ａが連結され、ロープ本体２にテンションをかけた状態で空間部に架け渡すことができる。【００６７】尚、前記弾性体４Ａの取り付けは、取付部４の一方のみに限定されるものでなく、両取付部４に取り付けることも可能であり、また、複数個の弾性体４Ａを連結することも可能である。要は、空間部の形状、ロープ本体２の長さ、ロープ本体２に取り付けるネット体１０の荷重等により決定される。【００６８】また、前記弾性体４Ａは必須の構成ではなく、調整体５のみで取り付け調整することも可能である。【００６９】前記ロープ本体２には、ネット体（又はシート体）１０を取り付けるため連結具としてのリング環６が複数本移動自在に取り付けられ、該リング環６にネット体１０の上端部に沿って取り付ける補強用ロープ体３０を所望の間隔で連結することで、ネット体１０を取り付ける。【００７０】尚、前記連結具はリング環６に限定されるものでなく、ロープ本体２に沿って移動自在で下方側にネット体１０を取り付けできる構成であれば、その形状等は問うものでない。【００７１】前記連結具としてのリング環６のうち一方の端部のリング環６には、一端側前記取付部４に固定した離れ止め体６Ａが設けられている。【００７２】前記離れ止め体６Ａは、長さを調整（Ｓ）することで、端部のリング環６と取付部４との距離を自在に調整でき、ネット体１０の端部の固定位置を自在に調整できる。【００７３】尚、前記離れ止め体６Ａの一方の固定は、前記取付部４に限定されるものでなく、角度調整体５や、該角度調整体５とロープ本体２との連結部分であってもよい。要は、端部のリング環６のロープ本体２に沿っての移動を阻止できる構成であれば、一方の固定位置は自在に設定できる。【００７４】前記スライド移動用のロープ体１は、ワイヤロープ、繊維状ロープ等の一般的に公知のロープを用いて形成されている。【００７５】このように、本発明のスライド移動用のロープ体１は、ネット体１０を吊り張りするロープ本体２と、連結固定具３を形成する取付部４と、調整体５とが予め一体的に構成されているために、空間部のあらゆる側壁側に直接取付部４を取り付けることでスライド移動用のロープ体１を架け渡すことができ、スライド移動用のロープ体１の設置工程を簡略化でき、作業の安全性を確保することができる。【００７５】本願発明のスライド移動用のロープ体１は上記のように構成され、該スライド移動用のロープ体１を用いて間仕切り用に使用するネット体１０を空間部に吊り張りする場合について説明する。【００７６】先ず、屋内の空間部の所望の位置に沿ってスライド移動用のロープ体１の両端側に一体的に設けられた取付部４をそれぞれ側壁に固定することで、容易にロープ本体２を側壁間に取り付けできる。【００７７】この際、前記取付部４には調整体５を連結しているために、側壁側が水平状態でなくても該調整体５の棒状部分を利用し水平状態に架け渡されるロープ本体２との角度を調整して、側壁間にロープ本体２を水平状態に架け渡すことができる。【００７８】即ち、前記角度調整体５の棒状部分を利用して側面側との水平状態との角度調整（角度Ｒ）を行い、調整部分を利用して水平方向の長さ調整（Ｌ）を行い、ロープ本体２部分を水平状態として架け渡す。【００７９】これにより、ロープ本体２の一端側、又は両端側を角度調整した状態で側壁に固定することができる。【００８０】また、前記調整体５は側壁との取り付け距離を微調整できるので、ロープ本体２の水平状態を維持して側壁間に固定することができる。【００８１】しかも、前記取付部４の一方には弾性体４Ａが設けられているために、ロープ本体２を常に側壁側に付勢した状態で取り付けできる。【００８２】これにより、前記ロープ本体２は常に緊張した状態で側壁間に架け渡すことができ、ネット体１０への連結具として設けられた複数個のリング環６を前記ロープ本体２に沿ったスムーズに移動することができる。【００８３】この際、前記リング環６の端部側（側壁側）の１つは、一端側を前記取付部４に固定した離れ止め体６Ａに他端側が連結されているために、その位置よりのロープ本体２に沿っての移動が阻止された状態となり、前記端部側のリング環６に連結されたネット体１０の後端部分はロープ本体２に沿ってのスライド移動用ができない状態となる。【００８４】上記状態で前記各リング環６にネット体１０の上端側に沿って取り付けられた吊り張り用のロープ体３０を所望の間隔で連結することで、ネット体１０をロープ本体２に取り付けでき、先端側のリング環６を基準に前記ロープ本体２に沿って自在に移動することができ、前記ロープ本体２に沿ってネット体１０を広げた状態（一端側のリング環６が離れ止め体６Ａで移動を阻止されているために、先端側のリング環６のロープ本体２に沿っての移動が所望位置で係止され）で吊り張りすることができる。【００８５】このように、本願発明のスライド移動用のロープ体１は空間部に容易に架け渡すことができるとともに、ネット体１０を簡易に取り付けできる。【００８６】しかも、スライド移動用のロープ体１の空間部への架け渡し工程を簡素化でき、ネット体１０の吊り張り作業の安全性を格段に向上することができる。【００８７】尚、ネット体１０は空間部の形状、面積の大小に応じて複数枚のネット１０Ａを組み合わせて形成することも可能である。【００８８】前記空間部に吊り張りされたネット体１０を、ウインチ２０を用いて空間部で開閉移動する場合について説明する。【００８９】先ず、前記スライド移動用のロープ体１の上方近傍位置で並行方向に沿ってウインチ２０で移動するウインチ用のロープ体２１を一方の側壁に取り付けられた滑車２３を介してエンドレス状に吊り張りし、その後、前記ネット体１０の先端側を直接又は間接的に牽引具２２を介して前記ウインチ用のロープ体２１に連結する。【００９０】本願発明のスライド移動用のロープ体１を用いたネット又はシートの吊り張り方法に用いる装置は上記のように構成され、次に該装置を用いて前記ネット体１０の開閉移動について説明する。【００９１】先ず、ウインチ２０を駆動しウインチ用のロープ体２１を滑車２３とウインチ２０間でエンドレス状に移動することで、前記ウインチ用のロープ体２１に一端側を固定された牽引具２２を空間部の中央側に引っ張り移動する。【００９２】これにより、前記牽引具２２に連結されたネット体１０はロープ本体２に沿ってリング環６を順次移動する。【００９３】この際、前記ロープ本体２に設けられた端部側のリング環６が離れ止め体６Ａで移動が阻止されているために、先端側のリング環６を基準に各リング環６がロープ本体２に沿って順次空間部の中央側に移動することで、前記ロープ本体２に連結されたネット１０を空間部に適切に広げながら吊り張りすることができる。【００９４】また、前記スライド移動用のロープ体１は弾性体４Ａで側壁側に付勢され緊張した状態で空間部に架け渡されているために、ネット体１０を連結したリング環６は、ネット体１０の荷重に影響されることなくスムーズにロープ本体２に沿ってスライドしながら移動することができる。【００９５】また、スライド移動用のロープ体１は弾性体４Ａにより常に側壁側に付勢された状態で架け渡すことができ、従来のような側壁間に架け渡した後の頻繁な微調整を行うことがなく、頻繁なメンテナンス作業を必要としない。【００９６】しかも、ネット体１０をスムーズにロープ本体２に沿って移動することができ、容易に空間部を開閉し間仕切り等を行うことができる。
【実施例２】
【００９７】次に、他の方法で空間部を間仕切り等する場合について説明する。【００９８】即ち、２枚のネット体１０（１０Ａ，１０Ｂ）を用いて左右側壁方向より中央部分に各ネット体１０（１０Ａ，１０Ｂ）を移動し、空間部を間仕切りする場合について説明する。【００９９】先ず、前記実施例１と同様に形成された２本のスライド移動用のロープ体１（１Ａ，１Ｂ）を用いて、前記と同様に空間部の所望の側壁間に取付部４を介して取り付けることで、２本のスライド移動用のロープ体１（１Ａ，１Ｂ）を並行状態に架け渡す。【０１００】次に、前記各スライド移動用のロープ体１（１Ａ，１Ｂ）のロープ本体２にそれぞれ移動自在に挿通された複数個のリング環６を用いて、各ネット体１０（１０Ａ，１０Ｂ）の上端側に取り付けられた吊り張り用ロープ体３０に所望の間隔で連結する。【０１０１】これにより各ネット体１０（１０Ａ，１０Ｂ）は、それぞれのスライド移動用のロープ体１の相対する側壁側のリング環６が離れ止め体６Ａで移動を阻止され、他方側のリング環６がロープ本体２に沿って中央側に移動可能な状態で取り付けられる。【０１０２】即ち、各ネット体１０（１０Ａ，１０Ｂ）はそれぞれ側壁側の端部が移動阻止され、先端側が順次空間部の中央側に移動し、２枚のネット体１０（１０Ａ，１０Ｂ）で空間部を間仕切りすることができる。【０１０３】次に、前記各ネット体１０（１０Ａ，１０Ｂ）を開閉移動する場合は、ウインチ用のロープ体２１も前記実施例１と同様に、スライド移動用のロープ体１の近接した上方側、又は近接した下方側で、平行方向に滑車２３を介してエンドレ状に吊り張りする。【０１０４】前記ネット体１０（１０Ａ、１０Ｂ）のそれぞれの先端側は、前記ウインチ用のロープ体２１の移動方向の相違する側（エンドレス状の移動の上下方向のロープ体２１）に、それぞれ牽引具２２を介して連結する。【０１０５】尚、ウインチ用のロープ体２１を滑車２３を介して水平状態に架け渡した場合は、ネット体１０（１０Ａ，１０Ｂ）のそれぞれの先端側を左右方向のロープ体２１に、牽引具２２を介して連結する。【０１０６】これにより、前記ネット体１０（１０Ａ、１０Ｂ）はウインチ用のロープ体２１の移動で両側壁側より空間部の中央側に移動、及び中央側より両側壁側に移動することができる。【０１０７】本願発明のスライド移動用のロープ体１を用いたネット体又はシート体の吊り張り方法に使用する装置は上記のように構成され、次にウインチ２０を駆動してネット体１０（１０Ａ、１０Ｂ）で空間部を間仕切りする場合について説明する。【０１０８】先ず、ウインチ２０を駆動してウインチ用のロープ体２１をエンドレス状に移動し、前記ウインチ用のロープ体２１に連結された牽引具２２をそれぞれ空間部の中央側（近接する）方向に移動することで、前記牽引具２２に連結されたネット体１０（１０Ａ、１０Ｂ）の先端側をそれぞれロープ本体２に沿って交差する位置まで中央側に移動し、ネット体１０（１０Ａ，１０Ｂ）を広げた状態で吊り張りし、空間部を間仕切りする。【０１０９】この際、前記ネット体１０（１０Ａ，１０Ｂ）は、側壁側のそれぞれのリング環６が取付部４に連結された離れ止め体６Ａで連結されているために、ロープ本体２に沿っての移動が阻止される。これにより、前記ネット体１０（１０Ａ，１０Ｂ）は両側面側より空間部の中央側に沿って適切に広げた状態で吊り張りできる。【０１１０】また、ウインチ２０を逆方向に駆動しウインチ用のロープ体２１を逆方向に移動すると、前記空間部の中央側に移動した牽引具２２がそれぞれ側壁側に移動し前記ネット体１０（１０Ａ、１０Ｂ）を開放することができる。【０１１１】このように、各スライド移動用のロープ体１に設けられたネット体１０（１０Ａ，１０Ｂ）をスムーズな移動することができる。【０１１２】しかも、各移動用のロープ体１にかかるネット体１０（１０Ａ，１０Ｂ）の荷重が前記実施例１より軽減されるために、前記スライド移動用のロープ体１を常に緊張した状態維持可能で、頻繁なメンテナンス作業を必要としない。【０１１３】さらに、スライド移動用のロープ体１の設置工程が前記実施例１と同様に容易であり、従来のような煩雑な工程を必要としない。【０１１４】また、上記実施例では、２本のスライド移動用のロープ体１を用いて２枚のネット体１０（１０Ａ，１０Ｂ）を吊り張りしたが、スライド移動用のロープ体１の本数及びネット体１０の枚数は２本、２枚に限定されるものでなく、さらに多くのスライド移動用のロープ体１及びネット体１０を利用することも可能である。【０１１５】要は、空間部の形状、大きさ又は間仕切り等の区分に応じて自在に決定することができる。
【実施例３】
【０１１６】次に、他の実施例としてスライド移動用のロープ体１を用いたネット又はシートの吊り張り方法を説明する。【０１１７】前記実施例１と同様に構成されたスライド移動用のロープ体１のロープ本体２にさらに、空間部の形状、取り付けるネット体１０の荷重に対応して、１個又は複数個の吊張連結具３２を移動自在に挿通する。【０１１８】これにより、スライド移動用のロープ体１を構成し、次に、該スライド移動用のロープ体１を用いてネット体１０を空間部に吊り張りする場合は、所望の側壁間に取付部４を介して取り付けることで、水平状態に架け渡す。【０１１９】次に、前記スライド移動用のロープ体１のロープ本体２に挿通した吊張連結具３２を所望の位置で固定し、該吊張連結具３２に天井側に設けられ吊張体としての吊り上げ用のロープ体３３を連結することで、ロープ本体２の中途部分を持ち上げ、スライド移動用のロープ体１の水平状態を維持して架け渡すことができる。【０１２０】この状態で、前記ロープ本体２に挿通自在に設けたリング環６にネット体１０の上端側に取り付けられた吊り張り用のロープ体３０を所望の間隔で連結することで、ネット体１０を空間部に吊り張りできる。【０１２１】しかも、スライド移動用のロープ体１は吊り上げ用のロープ体３３で水平状態を維持されているので、ネット体１０を適切に吊り張りすることができる。【０１２２】尚、前記吊張連結具３２はロープ本体２に固定（吊張具３２Ａ）する場合であっても、スライド移動自在に挿通（吊張具３２Ｂ）する場合であっても良い。固定する場合は、固定位置のロープ本体２を適切に吊り上げでき、また、挿通自在にする場合は、ロープ本体２への取り付け位置を微調整できる効果がある。【０１２３】また、上記実施例では、ロープ本体２に設けた吊張連結具３２でロープ本体２の中途部を吊り上げしたが、ロープ本体２に設けられた連結具としてのリング環６の１つ、又は複数個を吊張連結具３２として使用することで、同様にロープ本体２を吊り上げすることができる。即ち、リング環６を吊張連結具３２と同一に形成することで、リング環６を併用して使用することができる。【０１２４】また、前記吊張連結具３２に棒状体を連結することで、ロープ本体２の水平調整を空間部の上方側のみに限定することなく、空間部の側面側より調整することも可能である。【０１２５】また、空間部の曲面部分においても、上記側面側よりの調整を行うことで、該曲面に沿ってロープ本体２を吊り張りできる。【０１２６】このように、吊張連結具３２の取り付け方向は空間部の形状に応じて、自在に対応することができる。【０１２７】しかも、ネット体１０の連結具としてのリング環６を吊り上げ用、側面用の吊張連結具３２として兼用することで、別体の吊張連結具３２を用いるのに比し、構成の簡略化を図ることができる。
【実施例４】
【０１２８】次に、本願発明の他の実施例としてスライド移動用のロープ体１を用いたネット又はシートの吊り張り方法を説明する。【０１２９】即ち、シート体１０を用いて屋外の所望の空間部を水平方向に開閉する場合について説明する。【０１３０】先ず、前記実施例１と同様に構成されたスライド移動用のロープ体１を空間部に設置された枠体（図示せず）に取付具４を介して固定することで、所望の間隔で複数本並行状態に架け渡す。【０１３１】前記スライド移動用のロープ体１の枠体への取り付けは、連結固定具３の調整体５を側壁に固定された固定環に挿通し、ロープ本体２の長さ調整を行った後、ロープ本体２に折り返し部分の先端側を固定することで、自在に側壁間に応じてロープ本体２の長さ調整を行える。【０１３２】この際、前記スライド移動用のロープ体１はそれぞれ取付部４に設けられた弾性体４Ａで枠体側に付勢されているために、適切に緊張した状態で架け渡すことができる。【０１３３】その後、前記各ロープ本体２にそれぞれ挿通したリング環６を介してシート体１０を連結する。【０１３４】この際、スライド移動用のロープ体１の枠体に連結された一方側は、リング環６が離れ止め体６Ａに連結されているために、その移動が阻止されている。【０１３５】その後、ウインチで移動するウインチ用のロープ体２１を枠体間に前記スライド移動用のロープ体１と並行に架け渡し、前記ウインチ用のロープ体２１と前記シート体１０の先端側とを牽引具２２を介して連結する。【０１３６】本願発明のスライド移動用のロープ体１を用いたネット又はシートの吊り張り方法は上記のように構成され、次に、ウインチを駆動してシート体１０を空間部に開閉移動する場合について説明する。【０１３７】先ず、上記状態でウインチを駆動してウインチ用のロープ体２１を移動すると、前記シート体１０は複数本のロープ本体２に沿って水平移動して空間部を閉塞する。【０１３８】この際、前記各スライド移動用のロープ体１は緊張した状態で架け渡されているために、リング環６はスムーズに移動することができる。【０１３９】しかも、シート体１０の荷重を複数本のスライド移動用のロープ体１で分散しているために、シート体１０の開閉移動に伴う摩耗等も少ない。【０１４０】次に、空間部を開放する場合は、前記ウインチを逆方向に回転しウインチ用のロープ体２１を前記と逆方向に移動することで、シート体１０をスライド移動用のロープ体１に沿って逆方向に移動し、スムーズに空間部を開放することができる。【０１４１】このように、本発明のスライド移動用のロープ体１はその取り付け工程が容易であり、しかも頻繁なメンテナンス作業を必要としない。【０１４２】また、スライド移動用のロープ体１は常に付勢された状態で空間部に架け渡すことができ、シート体１０をスムーズに移動することができる。【０１４３】しかも、シート体１０を複数枚用いて空間部を閉塞する場合であっても、スライド移動用のロープ体１を複数本架け渡すことで、容易に対応することができる。【０１４４】尚、上記各実施例では、スライド移動用のロープ体１のロープ本体２の両端側に連結固定具３を一体的に連結した構成で、取付部４と調整体５とからなる構成としたが、本発明のスライド移動用のロープ体１の連結固定具３の構成はこれに限定されるものでなく、取付部４を別体とし調整体５のみで構成することも可能である。
【図面の簡単な説明】
【０１４５】
【図１】本願発明のスライド移動用のロープ体を示す概略説明平面図
【図２】図１のスライド移動用のロープ体の使用状態を示す概略説明平面図
【図３】本願発明のスライド移動用のロープ体の使用状態の他実施例を示す概略説明平面図
【図４】本発明のスライド移動用のロープ体の他実施例を示す概略説明平面図
【図５】連結固定具を示す概略説明平面図
【図６】本願発明のスライド移動用のロープ体を用いてネット体又はシート体の吊り張り状態を示す概略説明平面図
【図７】本願発明のスライド移動用のロープ体を用いてネット体又はシート体の吊り張り状態を示す概略説明平面図
【図８】本願発明のスライド移動用のロープ体の他実施例を示す概略説明平面図
【図９】図７の吊張具の取り付け状態を示す概略説明平面図
【図１０】図７の吊張具の取り付け状態を示す概略説明平面図
【図１１】離れ止め体の長さの調整方法を示す概略説明平面図
【図１２】離れ止め体の他実施例を示す概略説明平面図
【図１３】吊張具の取り付け状態の他実施例を示す概略説明平面図
【図１４】吊張具の取り付け状態の他実施例を示す概略説明上面図
【図１５】本願発明のスライド移動用のロープ体を用いたネット体又はシート体の吊り張り状態を示す概略説明平面図
【図１６】本願発明のスライド移動用のロープ体の他実施例を示す概略説明平面図
【図１７】本願発明のスライド移動用のロープ体を用いてネット体又はシート体の吊り張りした状態を示す概略説明平面図
【図１８】本願発明のスライド移動用のロープ体を用いたネット体又はシート体の吊り張り方法を示すフローチャート
【図１９】本願発明のスライド移動用のロープ体を用いたネット体又はシート体の吊り張り方法を示すフローチャート
【図２０】本願発明のスライド移動用のロープ体を用いたネット体又はシート体の吊り張り方法を示すフローチャート
【符号の説明】
【０１４６】１…スライド移動用のロープ体、２…ロープ本体、３…連結固定具、６…リング環、１０…ネット体、２０…ウインチ、２１…ウインチ用のロープ
【要約】
【課題】空間部への設置が容易で、設置後のメンテナンス作業が少なく、且つ安全に架け渡すことができるスライド移動用のロープ体、及び該スライド移動用のロープ体を用いたネット体又はシート体の吊り張り方法を提供することを課題とする。
【解決手段】空間部に吊り張りするネット体又はシート体をスライド移動自在に取り付けるとともに、両端側を側壁等に取り付けられた連結固定具に連結するロープ本体から構成されたスライド移動用のロープ体であって、前記連結固定具は、ロープ本体の両端側にそれぞれ一体的に設けられ、且つ該連結固定具の少なくとも一方には、側壁等への取り付け角度を調整する角度調整手段が設けられ、しかも前記連結具のうち一方の端部の連結具には、ロープ本体に沿っての移動を阻止する離れ止め体が設けられている。
【選択図】図１【図１】
0005975313.tif 000002
【図２】
0005975313.tif 000003
【図３】
0005975313.tif 000004
【図４】
0005975313.tif 000005
【図５】
0005975313.tif 000006
【図６】
0005975313.tif 000007
【図７】
0005975313.tif 000008
【図８】
0005975313.tif 000009
【図９】
0005975313.tif 000010
【図１０】
0005975313.tif 000011
【図１１】
0005975313.tif 000012
【図１２】
0005975313.tif 000013
【図１３】
0005975313.tif 000014
【図１４】
0005975313.tif 000015
【図１５】
0005975313.tif 000016
【図１６】
0005975313.tif 000017
【図１７】
0005975313.tif 000018
【図１８】
0005975313.tif 000019
【図１９】
0005975313.tif 000020
【図２０】
0005975313.tif 000021